(57)【要約】【課題】より娯楽性の高い玩具を提供すること。【解決手段】魚焼きグリルを有するガスレンジを模した本体部２１の前面に、瞼を模した身体部２２Ａを配設し、本体部２１の下面に脚を模した身体部２２Ｂ、２２Ｃを配設し、本体部２１の左右両側面に腕を模した身体部２２Ｄ、２２Ｅを各々配設して擬人化する。操作入力部２５Ｂ、２５Ｃからの入力に応じて身体部２２Ａが上下して瞬きを真似、身体部２２Ｂ、２２Ｃが交互に伸縮してスウィングを真似る。更に、操作入力部２５Ａ〜２５Ｃからの入力に応じて音声出力部２３及び光出力部２４Ａ〜２４Ｃが各々出力する。また、本体部２１の上面後部に配設された擬似コック帽２７がトースタの動作を真似る。【選択図】図１
2006340968.tif 000002
【特許請求の範囲】
【請求項１】
遊戯者が行動様式を学ぶための玩具であって、
主形象物を少なくとも有し、
前記主形象物が、
日用品の基本要素を備えてミニチュア化された本体部と、
前記本体部に取り付けられ前記本体部と協働して擬人化する身体部と、
前記本体部内に設けられて、前記身体部を身体動作するように駆動する駆動部と
を備えることを特徴とする玩具。
【請求項２】
請求項１記載の玩具であって、
日用品がミニチュア化された付属形象物を更に備え、
前記付属形象物が、前記主形象物に着脱自在に取り付けられることを特徴とする玩具。
【請求項３】
請求項１又は請求項２記載の玩具であって、
前記本体部は、日用品の基本要素を備えてミニチュア化されたものであり、
前記身体部は、前記本体部の両側部に揺動自在に配された一対の擬似腕部と、前記本体部の前面両側に瞼動作自在に配された一対の擬似眼部と
を備えることを特徴とする玩具。
【請求項４】
請求項３記載の玩具であって、
前記身体部は、前記本体部の下面両側に伸縮動作自在に配された一対の擬似脚部を更に備えることを特徴とする玩具。
【請求項５】
請求項１乃至請求項４の何れかに記載の玩具であって、
前記本体部は、炊事用具、装飾用具、買い物用具、医療用具、車両、運動用具、勉強用具、遊技用具、事務用具の何れかの基本要素を備えてミニチュア化されたことを特徴とする玩具。
【請求項６】
請求項３又は請求項４記載の玩具であって、
前記本体部は、ガスコンロの基本要素を備えてミニチュア化されたことを特徴とする玩具。
【請求項７】
請求項６記載の玩具であって、
付属形象物として、
前記本体部の上面に設けられた一方のコンロ部上に着脱自在に取り付けられ、前記一方の擬似腕部の揺動動作に連動して蓋部が開成する調理鍋玩具と、
前記他方の擬似腕部に着脱自在に取り付けられ、前記他方の擬似腕部の揺動動作に連動して前記本体部の上面に設けられた他方のコンロ部上を往復動作するフライパン玩具と
を更に備えることを特徴とする玩具。
【請求項８】
請求項７記載の玩具であって、
前記本体部の前面中央部に引き出し自在に収容されたオーブントレイにより擬似口部が形成されたことを特徴とする玩具。
【請求項９】
請求項６乃至請求項８の何れかに記載の玩具であって、
前記本体部の上面後部に設けられたトースタにより擬似コック帽が形成されたことを特徴とする玩具。
【請求項１０】
請求項１乃至請求項９の何れかに記載の玩具であって、
前記主形象物が、前記本体部に設けられた操作スイッチと、音声データが記憶された記憶部と、前記操作スイッチのオン操作に連動して前記音声データを出力する音声出力部と、前記操作スイッチのオン操作に連動して発光する光出力部と
を更に備えることを特徴とする玩具。
【請求項１１】
請求項１０記載の玩具であって、
前記操作スイッチが、前記本体部の前面両側に回転操作自在に配置されて擬似眼部を兼ねることを特徴とする玩具。
【請求項１２】
請求項１０又は請求項１１記載の玩具であって、
前記操作スイッチのオン操作に連動して前記音声出力部及び前記光出力部を作動させる第１の動作モードと、前記操作スイッチのオン操作に連動して前記音声出力部及び前記光出力の作動に加えて前記駆動部による前記身体部の身体動作も行う第２の動作モードとを選択可能な切換スイッチを、前記本体部に更に設けることを特徴とする玩具。
【発明の詳細な説明】
【技術分野】
【０００１】
本発明は、遊戯者が行動様式を学ぶための玩具に関するものである。
【背景技術】
【０００２】
例えば、飯事遊びに於いて、幼児が、母親の日頃の行動の真似事としての位置付けで、母親の日頃の行動に必要な料理道具又は買い物道具等をミニチュア化した玩具を用いて母親の擬似行動を行うことを通して、まず家庭内のルール及び行動様式を学ぶというものがある。
【０００３】
近年では、エレクトロニクス技術の発展に伴ってミニチュア化した玩具に「光る」、「おしゃべりをする」、「メロディを奏でる」等の機能を付加し得る電子機器を搭載した、より娯楽性の高い電子玩具が普及してきている。
【０００４】
また、例えば、テレビアニメーションの中では、道具自体を擬人化(キャラクター化)して人格を与え、物語の中で個々の道具が活躍するという娯楽性に富んだストーリが幼児に人気を博している。
【発明の開示】
【発明が解決しようとする課題】
【０００５】
しかしながら、従来の玩具に於いては、テレビアニメーションの中で見られるようなキャラクター化された道具が実現されておらず、娯楽性に乏しいという問題がある。
【０００６】
更に、幼児を監督する大人の一部が次々に玩具を幼児に買い与えるために、一部の幼児がものを大切にしなくなるという問題もある。
【０００７】
本発明は、上記課題に鑑みてなされたものであり、従来の玩具よりも娯楽性に富んだ玩具を提供し、且つ遊戯者がものを大切にすることを学び得るような玩具を提供することを目的とする。
【課題を解決するための手段】
【０００８】
上記の課題を解決すべく、請求項１記載の玩具は、遊戯者が行動様式を学ぶための玩具であって、主形象物を少なくとも有し、前記主形象物が、日用品の基本要素を備えてミニチュア化された本体部と、前記本体部に取り付けられ前記本体部と協働して擬人化する身体部と、前記本体部内に設けられて、前記身体部を身体動作するように駆動する駆動部とを備えるものである。
【０００９】
請求項２記載の玩具は、請求項１記載の玩具であって、日用品がミニチュア化された付属形象物を更に備え、前記付属形象物が、前記主形象物に着脱自在に取り付けられるものである。
【００１０】
請求項３記載の玩具は、請求項１又は請求項２記載の玩具であって、前記本体部は、日用品の基本要素を備えてミニチュア化されたものであり、前記身体部は、前記本体部の両側部に揺動自在に配された一対の擬似腕部と、前記本体部の前面両側に瞼動作自在に配された一対の擬似眼部とを備えるものである。
【００１１】
請求項４記載の玩具は、請求項３記載の玩具であって、前記身体部は、前記本体部の下面両側に伸縮動作自在に配された一対の擬似脚部を更に備えるものである。
【００１２】
請求項５記載の玩具は、請求項１乃至請求項４の何れかに記載の玩具であって、前記本体部は、炊事用具、装飾用具、買い物用具、医療用具、車両、運動用具、勉強用具、遊技用具、事務用具の何れかの基本要素を備えてミニチュア化されたものである。
【００１３】
請求項６記載の玩具は、請求項３又は請求項４記載の玩具であって、前記本体部は、ガスコンロの基本要素を備えてミニチュア化されたものである。
【００１４】
請求項７記載の玩具は、請求項６記載の玩具であって、付属形象物として、前記本体部の上面に設けられた一方のコンロ部上に着脱自在に取り付けられ、前記一方の擬似腕部の揺動動作に連動して蓋部が開成する調理鍋玩具と、前記他方の擬似腕部に着脱自在に取り付けられ、前記他方の擬似腕部の揺動動作に連動して前記本体部の上面に設けられた他方のコンロ部上を往復動作するフライパン玩具とを更に備えるものである。
【００１５】
請求項８記載の玩具は、請求項７記載の玩具であって、前記本体部の前面中央部に引き出し自在に収容されたオーブントレイにより擬似口部が形成されたものである。
【００１６】
請求項９記載の玩具は、請求項６乃至請求項８の何れかに記載の玩具であって、前記本体部の上面後部に設けられたトースタにより擬似コック帽が形成されたものである。
【００１７】
請求項１０記載の玩具は、請求項１乃至請求項９の何れかに記載の玩具であって、前記主形象物が、前記本体部に設けられた操作スイッチと、音声データが記憶された記憶部と、前記操作スイッチのオン操作に連動して前記音声データを出力する音声出力部と、前記操作スイッチのオン操作に連動して発光する光出力部とを更に備えるものである。
【００１８】
請求項１１記載の玩具は、請求項１０記載の玩具であって、前記操作スイッチが、前記本体部の前面両側に回転操作自在に配置されて擬似眼部を兼ねるものである。
【００１９】
請求項１２記載の玩具は、請求項１０又は請求項１１記載の玩具であって、前記操作スイッチのオン操作に連動して前記音声出力部及び前記光出力部を作動させる第１の動作モードと、前記操作スイッチのオン操作に連動して前記音声出力部及び前記光出力の作動に加えて前記駆動部による前記身体部の身体動作も行う第２の動作モードとを選択可能な切換スイッチを、前記本体部に更に設けるものである。
【発明の効果】
【００２０】
請求項１、請求項３、請求項４、請求項８及び請求項１１記載の発明に依れば、日用品の基本要素を備えてミニチュア化された本体部に本体部と協働して擬人化する擬似脚部、擬似腕部及び擬似眼部等の身体部や擬似口部が取り付けられているので、娯楽性を向上することが可能となると共に、擬似脚部、擬似腕部及び擬似眼部等の身体部が身体動作をするので、更に娯楽性を向上することが可能となる。
【００２１】
請求項２記載の発明に依れば、主形象物と付属形象物とが着脱自在となっているので、付属形象物を必要に応じ主形象物と組み合わせて楽しむことが可能となる。
【００２２】
請求項５記載の発明に依れば、主形象物の本体部が、炊事用具、装飾用具、買い物用具、医療用具、車両、運動用具、勉強用具、遊技用具、事務用具の何れかの基本要素を備えてミニチュア化されているので、遊戯者はこれらの日用品を用いた行動様式を学ぶことが可能となる。
【００２３】
請求項６及び請求項７記載の発明に依れば、主形象物の本体部がガスコンロの基本要素を備えてミニチュア化され、着脱自在な付属形象物と組み合わせて身体動作するので、遊戯者は調理動作を学ぶことが可能となる。
【００２４】
請求項９記載の発明に依れば、主形象物の上面後部に設けられたトースタにより擬似コック帽が形成されているので、娯楽性を向上することが可能となると共に、トースタを操作することによりその調理動作を学ぶことが可能となる。
【００２５】
請求項１０記載の発明に依れば、主形象物の本体部に操作スイッチと記憶部と音声出力部及び光出力部を備えているので、テレビアニメーションに於いて見られるような動作を実現することが可能となる。
【００２６】
請求項１２記載の発明に依れば、操作スイッチのオン操作に連動して音声出力部及び光出力部を作動させる第１のモードと、第１のモードに於ける動作に加えて身体部の身体動作を行う第２のモードとを選択可能な切換スイッチが設けられているので、遊戯者の好みに応じモードを切り換えて遊ぶことができ、娯楽性を向上することが可能となる。
【発明を実施するための最良の形態】
【００２７】
＜構成＞
図１は、本発明の実施の形態に係る玩具を示す図である。
【００２８】
玩具１０は、例えば、主形象物１１と、複数の付属形象物１２Ａ〜１２Ｄから構成されている。主形象物１１の外観はガスレンジを模した形状となっており、付属形象物１２Ａの外観は蓋付き両手鍋を模した形状（調理鍋玩具）となっており、付属形象物１２Ｂの外観はフライパンを模した形状（フライパン玩具）となっており、付属形象物１２Ｃの外観は調味料入れを模した形状となっており、付属形象物１２Ｄの外観はイギリスパンを模した形状となっている。
【００２９】
主形象物１１は、例えば、図２に示す如く、本体部２１と、身体部２２Ａ〜２２Ｅと、音声出力部２３と、光出力部２４Ａ〜２４Ｃと、操作入力部２５Ａ〜２５Ｃと、切換スイッチ２６から構成されている。
【００３０】
切換スイッチ２６は、玩具１０の動作モードを切り換えるためのスイッチであり、音声出力部２３及び光出力部２４Ａ〜２４Ｃを作動させる第１の動作モードと、音声出力部２３及び光出力部２４Ａ〜２４Ｃに加えて身体部２２Ａ〜２２Ｅを作動させる第２の動作モードと、一切給電しないモード（電源オフ状態）の何れかを選択するスイッチである。
【００３１】
本体部２１は、魚焼きグリルを有する二口ガスコンロを模して形成され、本体部２１の上面には擬似コック帽２７、光出力部２４Ａ〜２４Ｃ及び操作入力部２５Ａが配設されている。
【００３２】
尚、本明細書に於いて前後左右上下は、図２に示す如く、本体部２１に対して光出力部２４Ａがある側を上、その反対を下、身体部２２Ａがある側を前、その反対を後ろ、身体部２２Ｄがある側を左、身体部２２Ｅがある側を右と定義する。
【００３３】
擬似コック帽２７は、例えば、トースタの動作を真似る形象物であり、コック帽を模した形状に形成され、本体部２１の上面後部に配設されている。この擬似コック帽２７は、その上部に開口部２７ａが設けられており、イギリスパンを模した付属形象物１２Ｄを収容することが可能となっている。更に、擬似コック帽２７の側面に設けられたトースタの昇降レバー２７ｂを操作することによって、開口部２７ａに収容された付属形象物１２Ｄが飛び上がる等トースタの動作を真似ることが可能となっている。
【００３４】
光出力部２４Ａ〜２４Ｃは、例えば、本体部２１の上面に於いて恰もコンロ及び魚焼きグリルの炎が燃焼しているかのように点灯するものである。光出力部２４Ａは、魚焼きグリルの換気口を想定して略楕円形に形成されて本体部２１の上面中央に配設されている。光出力部２４Ｂ、２４Ｃは、二口コンロを想定して各々円形に形成されて光出力部２４Ａの左右に各々配設され、切換スイッチ２６が第１の動作モード、第２の動作モードの何れの状態でも操作入力部２５Ｂ、２５Ｃを回転操作することにより各々点消灯するようになっている。
【００３５】
また、光出力部２４Ｂ、２４Ｃの各々の周囲はコンロの五徳を模した環状部材２８Ａ、２８Ｂが形成されており、更に光出力部２４Ｂの周囲に形成された環状部材２８Ａの上部には、付属形象物１２Ａを着脱自在に取り付けるために互いの間隔が異なる係合部２８ａが形成されている。
【００３６】
付属形象物１２Ａは、例えば、図３に示す如く、蓋付き両手鍋の形状に形成され、鍋の底面に形成された突部３１を本体部２１の環状部材２８Ａに形成された係合部２８ａに係合させることによって本体部２１上の所定位置（一方のコンロ部上）に着脱自在となっている。
【００３７】
そして、図４に示す如く、蓋４１は、右側の取っ手にバネ４２で開成方向に付勢されるようにして接続されると共に、左側の取っ手に設けられたフック４３に係合することによりバネ４２の付勢力に抗し閉成状態で保持されるようになっている。フック４３は、ボタン４４と一体形成され、蓋４１が閉じた状態でボタン４４を押すことによってフック４３が押し出され、フック４３との係合が外れて蓋４１がバネ４２によって開くようになっている。
【００３８】
操作入力部２５Ａは、魚焼きグリルに点火する動作を真似るためのスイッチであり、光出力部２４Ａの前方に配設されて、切換スイッチ２６が第１の動作モード、第２の動作モードの何れの状態でも光出力部２４Ａの点灯及び消灯を行うことが可能となっている。
【００３９】
本体部２１の前面には光出力部２４Ｂ、２４Ｃの前方にあたる位置に身体部２２Ａが、各々配設されている。また、これら２つの身体部２２Ａの各々の周囲を囲むようにして、ガスコンロの操作つまみを想定した操作入力部２５Ｂ、２５Ｃが回転操作自在に配設されており、これら操作入力部２５Ｂ、２５Ｃが身体部２２Ａと協働して左右の擬似眼部を各々構成するようになっている。そして、操作入力部２５Ｂ、２５Ｃを各々回転させることによって入力のオン／オフを切り換えるようになっている。
【００４０】
身体部２２Ａは、眼球を模した略球体２２ａの上部に瞼を模して形成され、切換スイッチ２６が第２の動作モードの状態で操作入力部２５Ｂ、２５Ｃのうち少なくとも何れか１つがオンにされることにより、恰も瞬きをしているかのように上下動作を反復する。
【００４１】
具体的には、身体部２２Ａの上下動作は、図５及び図６に示す如く、モータ５１の回転動力を減速ギア５２によって瞬きのインターバルが、例えば５〜６秒に１回程度となるように減速しクラウンギア５３を介して瞬きギア５４を回転させる。この瞬きギア５４に噛合した小ギア５５を介して身体部２２Ａを回転させ、瞼を閉じるような動作を行う。瞬きギア５４は、その一部に小ギア５５と噛合しない領域５４Ａが形成されており、身体部２２Ａが回転して瞼を閉じるような動作を行った後に小ギア５５が瞬きギア５４と噛合しなくなると、身体部２２Ａは自重で元の状態（瞼を開いた状態）に戻るようになっている。これらの動作をモータ５１の回転に伴い反復して行うことによって恰も瞬きをしているかのように動作する。
【００４２】
また、本体部２１の前面中央部には、オーブントレイ２９が引き出し自在に収容されており、例えば、魚の形状を模した付属形象物（図示省略）等を載せて本体部２１内に収容することが可能となっている。このオーブントレイ２９の前面は人間の口を模した形状に形成されて擬似口部を構成するようになっている。
【００４３】
本体部２１の左側面には、例えば、身体部２２Ｄ及び切換スイッチ２６が配設されている。身体部２２Ｄは、人間の左腕を模した形状（擬似腕部）に形成され、その先端は調味料入れを模した略円柱状の付属形象物１２Ｃを着脱自在に掴むことができるようになっている。身体部２２Ｄは、切換スイッチ２６が第２の動作モードの状態で操作入力部２５Ｂがオン操作されることにより、その先端が上下左右方向の面内で円弧を描くように一定の角度範囲で反復動作する。
【００４４】
具体的には、身体部２２Ｄの反復（揺動）動作は、図７及び図８に示す如く、操作入力部２５Ｂが回転することによって操作入力部２５Ｂに形成されたリブ７１Ｂがスイッチ７２Ｂをオン状態にしてモータ５１（図５参照）を回転させると共に、カム７３Ｂを回転させる。このカム７３Ｂによって移動ギア７４Ｂが押され、モータ５１に連結された動力シャフトのギア７５Ｂと擬左腕ギア７６Ｂが移動ギア７４Ｂを介して接続される。
【００４５】
擬左腕ギア７６Ｂには回転軸を一にして予め定められた角度範囲にのみ形成された擬左腕駆動ギア７６ｂが形成されており、これに噛合する擬左腕従動ギア７７ｂによって身体部２２Ｄが下がるような動作を行う。擬左腕駆動ギア７６ｂと擬左腕従動ギア７７ｂが噛合しない領域に於いては、身体部２２Ｄは擬左腕バネ７８Ｂによって元の状態（擬左腕を上げた状態）に戻るようになっている。これらの動作をモータ５１の回転に伴い反復して行うことによって恰も左腕を上下に振っているかのように動作する。
【００４６】
尚、付属形象物１２Ａの蓋４１が閉じた状態で身体部２２Ｄが上に動作したとき、その先端（左親指を模して形成された部位）が付属形象物１２Ｃのボタン４４を押圧して蓋４１が開くようになっている。
【００４７】
本体部２１の右側面には身体部２２Ｅが配設されている。身体部２２Ｅは、人間の右腕を模した形状に形成され、その先端は、フライパンを模した付属形象物１２Ｂの取っ手を着脱自在に掴むことができるようになっている。身体部２２Ｅは、操作入力部２５Ｃがオン操作されることにより、その先端が左右方向に反復動作する。
【００４８】
具体的には、身体部２２Ｅの反復（揺動）動作は、図９及び図１０に示す如く、操作入力部２５Ｃが回転することによって操作入力部２５Ｃに形成されたリブ９１Ｃがスイッチ９２Ｃをオン状態にしてモータ５１（図示省略）を回転させると共に、カム９３Ｃを回転させる。このカム９３Ｃによって移動ギア９４Ｃが押され、モータ５１に連結された動力シャフトのギア９５Ｃと擬右腕ギア９６Ｃが移動ギア９４Ｃを介して接続される。
【００４９】
擬右腕ギア９６Ｃには回転軸を一にして擬右腕駆動ギア９６ｃが形成されており、これに噛合する擬右腕従動ギア９７ｃによってクランク９８Ｃが動作して身体部２２Ｅが左右方向に反復動作を行う。これによって恰も右腕を左右に振っているかのように動作する。
【００５０】
このとき、身体部２２Ｅに付属形象物１２Ｂが取り付けられていると、身体部２２Ｅの揺動動作に伴い、付属形象物１２Ｂが本体部２１上の他方のコンロ部上を恰も調理動作が行われているかのように往復することになる。
【００５１】
本体部２１の下面の四隅には身体部２２Ｂ、２２Ｃが配設されている。一方の身体部２２Ｂは、例えば、前後方向に並んだ２本の脚を模した形状に形成されて左側に配設され、切換スイッチ２６が第２の動作モードの状態で、操作入力部２５Ａ〜２５Ｃのうち少なくとも何れか１つがオン操作されることにより、上下方向に伸縮動作を反復する。
【００５２】
他方の身体部２２Ｃは、一方の身体部２２Ｂと同様の形状で右側に配設され、切換スイッチ２６が第２の動作モードの状態で、操作入力部２５Ａ〜２５Ｃのうち少なくとも何れか１つがオン操作されることにより、一方の身体部２２Ｂと１８０°タイミングをずらして上下方向に伸縮動作を反復する。
【００５３】
具体的には、身体部２２Ｂ、２２Ｃの反復動作は、図１１に示す如く、モータ５１（図５参照）の回転によって動力シャフト１１１が回転する。動力シャフト１１１は身体部２２Ｂ、２２Ｃ間に架け渡されており、その両端に接続された擬左脚ギア１１２Ｂと擬右脚ギア１１２Ｃを駆動する。これらのギア１１２Ｂ、１１２Ｃは予め定められて互いに１８０°異なった角度範囲に歯部が各々形成されており、これらの歯部に噛合する噛合部１１３Ｂ、１１３Ｃを有する身体部２２Ｂ、２２Ｃが各々従動する。
【００５４】
より具体的には、例えば、身体部２２Ｂは、図１２（ａ）〜（ｄ）に示す如く、まず擬左脚ギア１１２Ｂの歯部が上に位置している、即ち、擬左脚ギア１１２Ｂと噛合部１１３Ｂが噛合していないときは主形象物１１の自重で擬左脚が縮んだ状態（図１２（ａ）参照）にあり、擬左脚ギア１１２Ｂが例えば主形象物１１の左から見て右回りに９０°回転すると、擬左脚ギア１１２Ｂと噛合部１１３Ｂが噛合して身体部２２Ｂを、例えば１０ｍｍ程度伸ばした状態（図１２（ｂ）参照）にさせる。その後、擬左脚ギア１１２Ｂが更に９０°回転すると噛合が外れて主形象物１１の自重で元の状態（図１２（ｃ）参照）に戻る。この状態は、擬左脚ギア１１２Ｂが更に９０°回転している間持続し（図１２（ｄ）参照）、こうして擬左脚ギア１１２Ｂが１回転すると最初の状態に戻る。一方、身体部２２Ｃは、擬右脚ギア１１２Ｃが擬左脚ギア１１２Ｂと１８０°位相をずらして形成されているため、身体部２２Ｂと１８０°タイミングをずらした伸縮動作を行うことになり、即ち身体部２２Ｂの図１２（ａ）〜（ｃ）の動作区間に於いて収縮動作を行うと共に、図１２（ｄ）の動作区間に於いて伸長動作を行うことになる。
【００５５】
こうして、モータ５１の回転に伴い上記の動作を反復して行うことによって、主形象物１１が左右に交互に傾くようにスウィングする動作を行うことが可能となる。
【００５６】
尚、身体部２２Ｂ、２２Ｃ各々の下部には、図１３に示す如く、接地面が上記のスウィング動作によって左右方向に傾いても安定して接地することが可能なように、脚基部１１４が脚本体部１１５に対して回転軸１３１により回転自在に連結されている。
【００５７】
また、操作入力部２５Ａ〜２５Ｃがオフにされるか切換スイッチ２６がオフ状態となったときには、本体部２１の自重で身体部２２Ｂ、２２Ｃが共に縮んだ状態となる。
【００５８】
本体部２１の内部には、例えば、図１４に示す如く、電源１４１と、音声出力部２３と、光出力部２４Ａ〜２４Ｃと、記憶部１４２Ａ〜１４２Ｃと、制御部１４３と、モータ５１を備えた電気回路が搭載され、更に、図１５に示す如く、身体部２２Ａ〜２２Ｅと、操作入力部２５Ｂ、２５Ｃと、モータ５１からなる動力システムが構成されている。
【００５９】
まず、本体部２１内の電気回路について説明する。
【００６０】
電源１４１は、市販の乾電池等が適用される。
【００６１】
音声出力部２３は、記憶部１４２Ａ〜１４２Ｃに格納された音声データのうち制御部１４３から伝送された音声データに基づいて発振器を発振させ、本体部２１内、オーブントレイ２９の後方に配設されたスピーカを通じて音声出力を行う。
【００６２】
光出力部２４Ａは、例えば、ＬＥＤ等の発光体が適用され、操作入力部２５Ａオン操作に伴い記憶部１４２Ａに格納された発光パターンデータに基づいて点灯する。尚、他の光出力部２４Ｂ、２４Ｃも同様である。
【００６３】
記憶部１４２Ａは、例えば、フラッシュＲＯＭ等の書換可能な不揮発性メモリが適用され、格納する領域を異ならせることによって音声出力部２３が出力する音声データやメロディ、コンロで調理するときに生じる効果音等を格納すると共に、制御部１４３が動作する手順を定義したソフトウェアプログラムを格納する。尚、他の記憶部１４２Ｂ、１４２Ｃも同様である。
【００６４】
制御部１４３は、ＲＡＭ等が接続されたＣＰＵであり、各記憶部１４２Ａ〜１４２Ｃのうち少なくとも何れか１つに格納された上記のソフトウェアプログラムで定義された手順に従って動作する。この制御部１４３は、例えば、電源オフ状態でない限りは常に給電された状態であり、更に操作入力部２５Ａ〜２５Ｃのうち少なくとも何れか１つがオン操作された時点で、オン操作された操作入力部２５Ａ〜２５Ｃに対応する光出力部２４Ａ〜２４Ｃを点灯すると共に、記憶部１４２Ａ〜１４２Ｃ内のデータを読み取って、当該データを音声出力部２３に伝送する。
【００６５】
モータ５１は、切換スイッチ２６が第２の動作モードに切り換えられたときに、電源１４１から給電されて回転子（図示省略）を回転させて回転動力を発生するものである。
【００６６】
次に、本体部２１内の動力システムについて説明する。
【００６７】
動力システムは、例えば、切換スイッチ２６が第２の動作モード、即ち、制御部１４３及びモータ５１双方に給電するモードのときに動作する。
【００６８】
第２の動作モードの状態で、例えば、操作入力部２５Ｂがオン操作されると、モータ５１の回転動力が身体部２２Ｄに伝達されて身体部２２Ｄが上下方向に揺動動作すると共に、身体部２２Ａが上下動し、身体部２２Ｂ、２２Ｃが交互に伸縮動作する。
【００６９】
また、例えば、操作入力部２５Ｃがオン操作されると、モータ５１の回転動力が身体部２２Ｅに伝達されて身体部２２Ｅが左右方向に揺動動作すると共に、身体部２２Ａが上下動し、身体部２２Ｂ、２２Ｃが交互に伸縮動作する。
【００７０】
＜動作＞
上記のような構成に於ける玩具１０の動作を図１、図２及び図３を参照しながら以下に説明する。
【００７１】
図１に示す如く、本体部２１上に付属形象物１２Ａが固定され、付属形象物１２Ｃ、１２Ｂが各々身体部２２Ｄ、２２Ｅに掴まれている状態で、切換スイッチ２６を第２の動作モードに切り換えると共に、一方の操作入力部２５Ｂを回転させてオン状態にすると、一方のコンロ部である光出力部２４Ｂが点灯し、擬似眼部である身体部２２Ａが瞼動作を繰り返しながら擬似脚部である身体部２２Ｂ、２２Ｃが交互に伸縮動作すると共に、擬似腕部である身体部２２Ｄが上下に反復動作する。更に、記憶部１４２Ｂに格納された音声データを音声出力部２３から発出する。
【００７２】
このとき、付属形象物１２Ａの蓋４１が閉じられていれば、最初に身体部２２Ｄが上がったときにその先端がボタン４４を押圧して蓋４１を開く。その後は、付属形象物１２Ｃの先端を付属形象物１２Ａの内部に向けて上下させるので、恰も鍋の中に調味料をふりかけているかのような動きを幼児に学習させることが可能となる。
【００７３】
また、第２の動作モードの状態で、他方の操作入力部２５Ｃを回転させてオン状態にすると、他方のコンロ部である光出力部２４Ｃが点灯し、擬似眼部である身体部２２Ａが上下に動作して瞬きをしながら擬似脚部である身体部２２Ｂ、２２Ｃが交互に伸縮動作してスウィングすると共に、擬似腕部である身体部２２Ｅが左右に反復動作する。更に、記憶部１４２Ｃに格納された音声データを音声出力部２３から発出する。
【００７４】
このとき、付属形象物１２Ｂの取っ手を掴んでいるので、身体部２２Ｅの動きに追従して付属形象物１２Ｂも左右に反復動作し、恰もフライパンをコンロの上で振り動かしているかのような動きを幼児に学習させることが可能となる。
【００７５】
また、オーブントレイ２９を引き出して、例えば、魚の形状をした付属形象物（図示省略）等を載せて本体部２１内に収容し、本体部２１の上面に配設された操作入力部２５Ａを押圧することによりグリル換気口である光出力部２４Ａが点灯し、更に、記憶部１４２Ａに格納された音声データを音声出力部２３から発出して、恰も魚等を焼いているかのような気分を味わうことが可能となる。
【００７６】
更に、擬似コック帽２７の開口部２７ａに付属形象物１２Ｄを収容して昇降レバー２７ｂを押し下げることにより、恰もトースタでパンを焼くような動作を幼児に学習させることが可能となる。
【００７７】
切換スイッチ２６が第１の動作モードに切り換えられたときには、モータ５１への給電が行われない点を除いて、第２の動作モードの場合と同様である。即ち、操作入力部２５Ａ〜２５Ｃのオン操作に連動して光出力部２４Ａ〜２４Ｃ及び音声出力部２３のみが動作する。
【００７８】
更に、切換スイッチ２６がオフ状態に切り換えられたときには、モータ５１や音声出力部２３、光出力部２４Ａ〜２４Ｃへの給電がなされることはなく、操作入力部２５Ａ〜２５Ｃが無効化される。
【００７９】
以上のように、主形象物１１が、モータ５１によって動作する身体部２２Ａ〜２２Ｅを備えて擬人化されているので、恰も生き物と遊んでいるかのような娯楽性に富んだ玩具を提供することが可能となる。
【００８０】
また、主形象物１１が、記憶部１４２Ａ〜１４２Ｃに記憶されたデータに基づいて制御部１４３により出力制御される音声出力部２３及び光出力部２４Ａ〜２４Ｃを備えているので、遊戯者は玩具１０が自ら思考しているかのように認識し、更に擬人化することが可能となり、娯楽性が向上する。
【００８１】
また、身体部２２Ａ〜２２Ｅは、人間の身体の一部を模して形成され、恰も生きているかのように動作するので、遊戯者は玩具１０の動作を見ることによって行動様式を学ぶことが可能となる。
【００８２】
また、主形象物１１と付属形象物１２Ａ〜１２Ｄが着脱自在となっているので、付属形象物１２Ａ〜１２Ｄを必要に応じ主形象物１１と組み合わせて楽しむことが可能となり、更に娯楽性に富んだ炊事玩具を提供することが可能となる。
【００８３】
また、操作入力部２５Ａ〜２５Ｃのオン操作に連動して音声出力部２３及び光出力部２４Ａ〜２４Ｃを作動させる第１の動作モードと、第１の動作モードの動作に加えて身体部２２Ａ〜２２Ｅの身体動作を行う第２の動作モードを選択可能な切換スイッチ２６を備えているため、遊戯者の好みに応じモードを切り換えて遊ぶことができ、娯楽性を向上することが可能となる。
【図面の簡単な説明】
【００８４】
【図１】本発明の実施の形態に係る玩具を示す図である。
【図２】本発明の実施の形態に係る玩具の主形象物を示す図である。
【図３】本発明の実施の形態に係る玩具の付属形象物を示す図である。
【図４】本発明の実施の形態に係る玩具の付属形象物を示す断面図である。
【図５】本発明の実施の形態に係る玩具の身体部の構造を示す図である。
【図６】本発明の実施の形態に係る玩具の身体部の動作を示す図である。
【図７】本発明の実施の形態に係る玩具の身体部の構造を示す図である。
【図８】本発明の実施の形態に係る玩具の身体部の動作を示す図である。
【図９】本発明の実施の形態に係る玩具の身体部の構造を示す図である。
【図１０】本発明の実施の形態に係る玩具の身体部の動作を示す図である。
【図１１】本発明の実施の形態に係る玩具の身体部の構造を示す図である。
【図１２】（ａ）〜（ｄ）本発明の実施の形態に係る玩具の身体部の動作を示す図である。
【図１３】本発明の実施の形態に係る玩具の各動作状態を示す図である。
【図１４】本発明の実施の形態に係る玩具の回路構成を示すブロック図である。
【図１５】本発明の実施の形態に係る玩具の動力伝達システムを示すブロック図である。
【符号の説明】
【００８５】
１０  玩具
１１  主形象物
１２Ａ〜１２Ｄ  付属形象物
２１  本体部
２２Ａ〜２２Ｅ  身体部
２３  音声出力部
２４Ａ〜２４Ｃ  光出力部
２５Ａ〜２５Ｃ  操作入力部
２６  切換スイッチ
５１  モータ
１４１  電源
１４２Ａ〜１４２Ｃ  記憶部
１４３  制御部
【図１】
2006340968.tif 000003
【図２】
2006340968.tif 000004
【図３】
2006340968.tif 000005
【図４】
2006340968.tif 000006
【図５】
2006340968.tif 000007
【図６】
2006340968.tif 000008
【図７】
2006340968.tif 000009
【図８】
2006340968.tif 000010
【図９】
2006340968.tif 000011
【図１０】
2006340968.tif 000012
【図１１】
2006340968.tif 000013
【図１２】
2006340968.tif 000014
【図１３】
2006340968.tif 000015
【図１４】
2006340968.tif 000016
【図１５】
2006340968.tif 000017